(57)【要約】【課題】無線通信の接続の確立にかかるユーザの負担を軽減することができる通信装置を提供する。【解決手段】被充電側通信装置２０との間でデータ転送を行う充電側通信装置１０であって、電力供給部１１０は、被充電側通信装置２０に電力を供給し、充電制御部１２０は、電力の供給を検知し、無線通信部１３０は、被充電側通信装置２０への電力の供給が検知された場合に被充電側通信装置２０に接続を要求する接続要求メッセージを送信し、被充電側通信装置２０から接続要求メッセージに対する応答として接続を許可する接続許可メッセージを受信した場合に、被充電側通信装置２０との間で無線通信の接続を確立する。【選択図】        図１
2010041181.tif 000002
【特許請求の範囲】
【請求項１】
外部通信装置との間でデータ転送を行う通信装置であって、
前記外部通信装置に電力を供給する電力供給手段と、
電力の供給の開始を検知する供給検知手段と、
前記供給検知手段により電力の供給の開始が検知された場合に前記外部通信装置に接続を要求する接続要求メッセージを送信し、前記外部通信装置から前記接続要求メッセージに対する応答として接続を許可する接続許可メッセージを受信した場合に、前記外部通信装置との間で無線通信の接続を確立する無線通信手段と、を備えることを特徴とする通信装置。
【請求項２】
前記電力供給手段は、前記外部通信装置に電気的に非接触な方式で電力を供給することを特徴とする請求項１に記載の通信装置。
【請求項３】
前記電気的に非接触な方式は、電磁誘導であることを特徴とする請求項２に記載の通信装置。
【請求項４】
前記無線通信は、超広帯域無線を用いた無線通信であることを特徴とする請求項１〜３のいずれか１つに記載の通信装置。
【請求項５】
前記無線通信は、誘導電界を用いた無線通信であることを特徴とする請求項１〜４のいずれか１つに記載の通信装置。
【請求項６】
前記無線通信手段は、前記外部通信装置との間で前記無線通信の接続を確立した場合に、前記外部通信装置との間で映像データ、音楽データ、および静止画データの少なくともいずれかであるコンテンツデータの転送を行うことを特徴とする請求項１〜５のいずれか１つに記載の通信装置。
【請求項７】
外部通信装置との間でデータ転送を行う通信装置であって、
前記外部通信装置から供給される電力を受給する電力受給手段と、
電力の受給の開始を検知する受給検知手段と、
前記受給検知手段により電力の受給の開始が検知された場合に前記外部通信装置に接続を要求する接続要求メッセージを送信し、前記外部通信装置から前記接続要求メッセージに対する応答として接続を許可する接続許可メッセージを受信した場合に、前記外部通信装置との間で無線通信の接続を確立する無線通信手段と、を備えることを特徴とする通信装置。
【発明の詳細な説明】
【技術分野】
【０００１】
本発明は、通信装置に関する。
【背景技術】
【０００２】
従来から、携帯電話やストレージなどのように、大容量のデータを保存できる小型で高性能な装置が広く普及しており、テキストデータ等の容量の小さいデータだけでなく、映像や音声等の大容量のデータを装置間でやり取りする機会も増加している。
【０００３】
また近年では、大容量のデータ転送を実現する無線通信技術が注目を集めており、例えば、超広帯域無線（ＵＷＢ：Ultra Wide Band）を用いた近距離無線通信などがある。
【０００４】
ところで、無線通信によるデータ転送を行うためには、まず、通信装置間で無線通信の接続が確立されていることが前提となるが、接続を確立するためには、何らかのトリガが必要となる。
【０００５】
例えば特許文献１には、ブルートゥース（Bluetooth：登録商標）を用いた近距離無線通信の接続を確立するトリガとして、ユーザが携帯端末を操作することにより開始される無線基地局を介した無線通信を利用することが開示されている。
【０００６】
【特許文献１】特開２００３−１９８６７３号公報
【発明の開示】
【発明が解決しようとする課題】
【０００７】
しかしながら、特許文献１に開示された技術では、近距離無線通信の接続の確立に無線基地局を介した無線通信を利用しているものの、結局、ユーザによる携帯端末の操作が必要となり、ユーザに負担がかかってしまう。
【０００８】
本発明は、上記事情に鑑みてなされたものであり、無線通信の接続の確立にかかるユーザの負担を軽減することができる通信装置を提供することを目的とする。
【課題を解決するための手段】
【０００９】
上述した課題を解決し、目的を達成するために、本発明の一態様にかかる通信装置は、外部通信装置との間でデータ転送を行う通信装置であって、前記外部通信装置に電力を供給する電力供給手段と、電力の供給の開始を検知する供給検知手段と、前記供給検知手段により電力の供給の開始が検知された場合に前記外部通信装置に接続を要求する接続要求メッセージを送信し、前記外部通信装置から前記接続要求メッセージに対する応答として接続を許可する接続許可メッセージを受信した場合に、前記外部通信装置との間で無線通信の接続を確立する無線通信手段と、を備えることを特徴とする。
【００１０】
また、本発明の別の態様にかかる通信装置は、外部通信装置との間でデータ転送を行う通信装置であって、前記外部通信装置から供給される電力を受給する電力受給手段と、電力の受給の開始を検知する受給検知手段と、前記受給検知手段により電力の受給の開始が検知された場合に前記外部通信装置に接続を要求する接続要求メッセージを送信し、前記外部通信装置から前記接続要求メッセージに対する応答として接続を許可する接続許可メッセージを受信した場合に、前記外部通信装置との間で無線通信の接続を確立する無線通信手段と、を備えることを特徴とする。
【発明の効果】
【００１１】
本発明によれば、無線通信の接続の確立にかかるユーザの負担を軽減することができるという効果を奏する。
【発明を実施するための最良の形態】
【００１２】
以下、添付図面を参照しながら、本発明にかかる通信装置の最良な実施の形態を詳細に説明する。
【００１３】
（第１の実施の形態）
図１は、本実施の形態にかかる通信システム１の一例を示す概略図である。図１に示すように、通信システム１は、充電側通信装置１０と、被充電側通信装置２０とを備える。
【００１４】
充電側通信装置１０は、電気的に非接触な方式による電力供給機能および近距離無線通信機能を有するクレードル装置１１と、クレードル装置１１を制御する本体装置１２と、を備えており、本実施の形態では、本体装置１２をＰＣ（Personal Computer）により実現している。なお、「近距離無線通信機能」とは、基地局などを介さずに近距離間（例えば、３０ｍ以内程度）で他の通信装置と直接無線通信可能な通信機能であり、本実施の形態では、大容量のデータ転送が可能な近距離無線通信機能（例えば、ＵＷＢ：Ultra Wide Band）を用いている。
【００１５】
被充電側通信装置２０は、電気的に非接触な方式による電力受給機能および近距離無線通信機能を有しており、例えば携帯電話などにより実現できる。
【００１６】
本実施の形態の通信システム１では、例えばユーザが被充電側通信装置２０をクレードル装置１１に近づけることにより、クレードル装置１１から被充電側通信装置２０へ電気的に非接触な方式で電力が供給され、被充電側通信装置２０の充電が開始される。そして、充電側通信装置１０および被充電側通信装置２０は、被充電側通信装置２０の充電が開始されたことをトリガとして、両装置間で近距離無線通信のセッションを確立し、コンテンツデータのデータ転送を行う。
【００１７】
なお本実施の形態では、充電側通信装置１０と被充電側通信装置２０との近距離無線通信のセッションを確立するために、クレードル装置１１と被充電側通信装置２０とを出来るだけ近接させる（例えば、両装置の間隔を３ｃｍ以内にする）必要があり、好ましくは、両装置を接触させることが望ましい。このような特性は、例えば、近距離では高い利得を得るが離れると急激に減衰するという特徴を有する誘導電界を近距離無線通信に用いることで実現できる。
【００１８】
また本実施の形態では、クレードル装置１１と被充電側通信装置２０とを近接させた際に充電側通信装置１０から被充電側通信装置２０へ電力の供給を開始するため、電気的に非接触な方式による電力供給機能および電力受給機能を電磁誘導により実現している。
【００１９】
図２は、本実施の形態にかかる充電側通信装置１０の構成の一例を示すブロック図である。充電側通信装置１０は、電力供給部１１０と、充電制御部１２０と、無線通信部１３０と、コンテンツデータ記憶部１４０と、制御部１５０と、メモリ１６０と、を備える。なお、電力供給部１１０および無線通信部１３０は、クレードル装置１１に備えられており、その他の機能部は、本体装置１２に備えられている。
【００２０】
電力供給部１１０は、ＡＣ電源などから充電側通信装置１０に入力される電力を、電磁誘導により近接する被充電側通信装置２０に供給し、充電を行わせる。なお、電力供給部１１０の機能は、コイルなどにより実現できる。
【００２１】
充電制御部１２０は、被充電側通信装置２０を充電するために、電力供給部１１０による電力の供給に関する各種制御を行う。また充電制御部１２０（供給検知手段の一例）は、電力供給部１１０による電力の供給が開始されたことを、例えば電力量の変化などから検知する。
【００２２】
無線通信部１３０は、電力の供給が開始されたことが充電制御部１２０により検知された場合に、近距離無線通信の接続を要求する接続要求メッセージを被充電側通信装置２０に送信する。続いて無線通信部１３０は、被充電側通信装置２０から接続要求メッセージに対する応答として接続を許可する接続許可メッセージを受信した場合に、被充電側通信装置２０との間で近距離無線通信の接続を確立する。そして無線通信部１３０は、被充電側通信装置２０から近距離無線通信で送信されるコンテンツデータを受信する。
【００２３】
コンテンツデータ記憶部１４０は、無線通信部１３０により受信された映像データ、音楽データ、および静止画データなどのコンテンツデータを格納する。
【００２４】
制御部１５０は、各機能部を制御して、近距離無線通信やデータ処理を統括して実行する。例えば制御部１５０は、近距離無線通信による情報の送受信処理を無線通信部１３０に指示したり、コンテンツデータの転送に関連する処理を行うアプリケーションを起動させたりする。
【００２５】
メモリ１６０は、制御部１５０のワーク領域であり、充電側通信装置１０が有するアプリケーションの情報や、無線通信部１３０の一時的なデータなどが記憶される。
【００２６】
図３は、本実施の形態にかかる被充電側通信装置２０の構成の一例を示すブロック図である。被充電側通信装置２０は、電力受給部２１０と、充電制御部２２０と、無線通信部２３０と、コンテンツデータ記憶部２４０と、制御部２５０と、メモリ２６０と、を備える。
【００２７】
電力受給部２１０は、近接する充電側通信装置１０から電磁誘導により供給される電力を受給し、被充電側通信装置２０が備えるバッテリー（図示省略）を充電する。なお、電力受給部２１０の機能は、コイルなどにより実現できる。
【００２８】
充電制御部２２０は、被充電側通信装置２０が備えるバッテリーを充電するために、電力受給部２１０による電力の受給に関する各種制御を行う。
【００２９】
無線通信部２３０は、充電側通信装置１０から送信される接続要求メッセージを受信する。そして無線通信部２３０は、この接続を許可する場合に、充電側通信装置１０に接続許可メッセージを送信し、充電側通信装置１０との間で近距離無線通信の接続を確立する。その後、無線通信部２３０は、後述するコンテンツデータ記憶部２４０から読み出されたコンテンツデータを充電側通信装置１０に近距離無線通信で送信する。
【００３０】
コンテンツデータ記憶部２４０は、充電側通信装置１０に送信する映像データ、音楽データ、および静止画データなどのコンテンツデータを格納する。
【００３１】
制御部２５０は、各機能部を制御して、近距離無線通信やデータ処理を統括して実行する。例えば制御部２５０は、近距離無線通信による情報の送受信処理を無線通信部２３０に指示したり、コンテンツデータの転送に関連する処理を行うアプリケーションを起動させたりする。
【００３２】
メモリ２６０は、制御部２５０のワーク領域であり、被充電側通信装置２０が有するアプリケーションの情報や、無線通信部２３０の一時的なデータなどが記憶される。
【００３３】
図４は、本実施の形態にかかる充電側通信装置１０の動作の一例を示すフローチャートである。
【００３４】
まず電力供給部１１０は、電磁誘導により、近接する被充電側通信装置２０に電力を供給する（ステップＳ１０）。
【００３５】
続いて充電制御部１２０は、電力供給部１１０から電力の供給が開始されたことを検知し、制御部１５０に通知する（ステップＳ１１）。
【００３６】
続いて無線通信部１３０は、制御部１５０からの指示を受け、被充電側通信装置２０に接続要求メッセージを送信する（ステップＳ１２）。そして無線通信部１３０は、被充電側通信装置２０から接続要求メッセージに対する応答として接続許可メッセージを受信した場合に（ステップＳ１３でＹｅｓ）、被充電側通信装置２０との間で近距離無線通信の接続を確立する（ステップＳ１４）。
【００３７】
続いて制御部１５０は、コンテンツデータの転送に関連するアプリケーションを起動する。そして、このアプリケーションからの指示を受け、無線通信部１３０は、被充電側通信装置２０から近距離無線通信で送信されるコンテンツデータを受信する（ステップＳ１５）。同様にこのアプリケーションからの指示を受け、制御部１５０は、受信されたコンテンツデータをコンテンツデータ記憶部１４０に格納させる。
【００３８】
なお無線通信部１３０は、被充電側通信装置２０に接続要求メッセージを送信してから一定時間待っても応答がない場合には（ステップＳ１３でＮｏ）、被充電側通信装置２０に接続要求メッセージを再送する（ステップＳ１６でＹｅｓ）。但し無線通信部１３０は、被充電側通信装置２０から接続要求メッセージに対する応答として接続を拒否する接続拒否メッセージを受信した場合や、接続要求メッセージを所定回再送した場合には、ステップＳ１４〜ステップＳ１５の処理は行わずに、近距離無線通信の接続を中止する（ステップＳ１６でＮｏ）。
【００３９】
図５は、本実施の形態にかかる被充電側通信装置２０の動作の一例を示すフローチャートである。
【００４０】
まず、被充電側通信装置２０を充電側通信装置１０に近接させるため、被充電側通信装置２０を充電側通信装置１０に近づけると、電力受給部２１０は、充電側通信装置１０から供給される電力の受給を開始する（ステップＳ２０）。そして、無線通信部２３０は、充電側通信装置１０から接続要求メッセージを受信するまで、受信待ち状態となる（ステップＳ２１でＮｏ）。
【００４１】
続いて無線通信部２３０は、充電側通信装置１０から接続要求メッセージを受信し（ステップＳ２１でＹｅｓ）、充電側通信装置１０からの接続要求を許可する場合には（ステップＳ２２でＹｅｓ）、充電側通信装置１０へ接続許可メッセージを送信する（ステップＳ２３）。そして無線通信部２３０は、充電側通信装置１０との間で近距離無線通信の接続を確立する（ステップＳ２４）。
【００４２】
続いて制御部２５０は、コンテンツデータの転送に関連するアプリケーションを起動する。そして、このアプリケーションからの指示を受け、制御部２５０は、充電側通信装置１０に送信するコンテンツデータをコンテンツデータ記憶部２４０から読み出す。同様にこのアプリケーションからの指示を受け、無線通信部２３０は、読み出されたコンテンツデータを充電側通信装置１０に近距離無線通信で送信する（ステップＳ２５）。
【００４３】
なお無線通信部２３０は、充電側通信装置１０からの接続要求を拒否する場合には（ステップＳ２２でＮｏ）、ステップＳ２３〜ステップＳ２５の処理は行わずに、接続拒否メッセージを充電側通信装置１０へ送信する（ステップＳ２６）。
【００４４】
このように本実施の形態では、被充電側通信装置２０を充電側通信装置１０に近づけると、電磁誘導により充電側通信装置１０から被充電側通信装置２０に電力の供給が開始される。そして、この電力の供給が検知された場合に、両装置間で近距離無線通信の接続が確立され、コンテンツデータの転送が行われる。従って本実施の形態によれば、充電側通信装置１０に被充電側通信装置２０を近づけるという直感的な動作だけで近距離無線通信の接続を確立でき、近距離無線通信の接続の確立にかかるユーザの負担を軽減することができるという効果を奏する。
【００４５】
また本実施の形態では、大容量のデータ転送が可能な近距離無線通信機能を用いているため、充電側通信装置１０に被充電側通信装置２０を近づけるという直感的な動作だけでコンテンツデータを転送することもできるという効果も奏する。
【００４６】
また本実施の形態では、被充電側通信装置２０は、充電側通信装置１０から電力の供給が開始されることをトリガとして、被充電側通信装置２０に近距離無線通信による接続を要求する。従って本実施の形態によれば、一方の装置が他方の装置に対して近距離無線通信の接続を常時要求する場合に比べ、電力の消費量を抑えることができるという効果も奏する。
【００４７】
なお本実施の形態では、電気的に非接触な方式による電力供給機能および電力受給機能として電磁誘導を例にとり説明したが、これに限定されるものではない。例えば、被充電側通信装置２０をクレードル装置１１に近接させた段階で電力の供給を開始できる方式であればよい。また電力供給機能および電力受給機能を電気的に接触させる方式で実現してもよい。例えば、クレードル装置１１に電力供給用の端子を設け、この端子に被充電側通信装置２０の端子を接触させる電力を供給するようにしてもよい。
【００４８】
また本実施の形態では、近距離無線通信機能として、大容量のデータ転送が可能でありコンテンツデータの転送に適したＵＷＢを例にとり説明したが、これに限定されるものではない。例えば、転送するデータに合わせて、Bluetooth（登録商標）等の他の近距離無線通信機能を用いるようにしてもよい。
【００４９】
また本実施の形態では、充電側通信装置１０が、クレードル装置１１および本体装置１２を備える場合を例にとり説明したが、充電側通信装置１０の構成はこれに限定されるものではない。充電側通信装置１０は、電力供給機能および近距離無線通信機能を有するものであればよい。
【００５０】
（第２の実施の形態）
上述した第１の実施の形態では、充電側通信装置が近距離無線通信の接続を要求するイニシエータであり、被充電側通信装置がイニシエータからの要求を受け付けるレスポンダである場合について説明したが、本発明はこれに限定されるものではない。そこで第２の実施の形態では、被充電側通信装置が近距離無線通信の接続を要求するイニシエータであり、充電側通信装置がイニシエータからの要求を受け付けるレスポンダである場合について説明する。
【００５１】
なお、以下では、第１の実施の形態との相違点の説明を主に行い、第１の実施の形態と同様の機能を有する構成要素については、第１の実施の形態と同様の名称・符号を付し、その説明を省略する。
【００５２】
図６は、本実施の形態にかかる通信システム１００１の一例を示す概略図である。図６に示すように、通信システム１００１は、クレードル装置１０１１および本体装置１０１２を備える充電側通信装置１０１０と、被充電側通信装置１０２０とを備える。
【００５３】
図７は、本実施の形態にかかる充電側通信装置１０１０の構成の一例を示すブロック図である。充電側通信装置１０１０は、近距離無線通信の接続を要求するイニシエータである点で、第１の実施の形態にかかる充電側通信装置１０と相違する。またこの相違に伴い、充電制御部１１２０、無線通信部１１３０、および制御部１１５０の各部が行う処理も第１の実施の形態にかかる充電側通信装置１０と相違する。
【００５４】
充電制御部１１２０は、被充電側通信装置１０２０を充電するために、電力供給部１１０による電力の供給に関する各種制御を行う。
【００５５】
無線通信部１１３０は、被充電側通信装置１０２０から送信される接続要求メッセージを受信する。そして無線通信部１１３０は、この接続を許可する場合に、被充電側通信装置１０２０に接続許可メッセージを送信し、被充電側通信装置１０２０との間で近距離無線通信の接続を確立する。その後、無線通信部１１３０は、被充電側通信装置１０２０から近距離無線通信で送信されるコンテンツデータを受信する。
【００５６】
制御部１１５０は、各機能部を制御して、近距離無線通信やデータ処理を統括して実行する。例えば制御部１１５０は、近距離無線通信による情報の送受信処理を無線通信部１１３０に指示したり、コンテンツデータの転送に関連するアプリケーションを起動させたりする。
【００５７】
図８は、本実施の形態にかかる被充電側通信装置１０２０の構成の一例を示すブロック図である。被充電側通信装置１０２０は、イニシエータからの要求を受け付けるレスポンダである点で、第１の実施の形態にかかる被充電側通信装置２０と相違する。またこの相違に伴い、充電制御部１２２０、無線通信部１２３０、および制御部１２５０の各部が行う処理も第１の実施の形態にかかる被充電側通信装置２０と相違する。
【００５８】
充電制御部１２２０は、被充電側通信装置１０２０が備えるバッテリーを充電するために、電力受給部２１０による電力の受給に関する各種制御を行う。また充電制御部１２２０（受給検知手段の一例）は、電力受給部２１０による電力の受給が開始されたことを、例えば電力量の変化などから検知する。
【００５９】
無線通信部１２３０は、充電側通信装置１０１０から供給される電力の受給が開始されたこと（被充電側通信装置１０２０が備えるバッテリーの充電が開始されたこと）が充電制御部１２２０により検知された場合に、接続要求メッセージを充電側通信装置１０１０に送信する。続いて無線通信部１２３０は、充電側通信装置１０１０から接続要求メッセージに対する応答として接続許可メッセージを受信した場合に、充電側通信装置１０１０との間で近距離無線通信の接続を確立する。そして無線通信部１２３０は、コンテンツデータ記憶部２４０から読み出されたコンテンツデータを充電側通信装置１０１０に近距離無線通信で送信する。
【００６０】
制御部１２５０は、各機能部を制御して、近距離無線通信やデータ処理を統括して実行する。例えば制御部１２５０は、近距離無線通信による情報の送受信処理を無線通信部１２３０に指示したり、コンテンツデータの転送に関連するアプリケーションを起動させたりする。
【００６１】
図９は、本実施の形態にかかる充電側通信装置１０１０の動作の一例を示すフローチャートである。
【００６２】
まず、電力供給部１１０は、電磁誘導により、近接する被充電側通信装置１０２０に電力を供給する（ステップＳ１１０）。そして、無線通信部１１３０は、被充電側通信装置１０２０から接続要求メッセージを受信するまで、受信待ち状態となる（ステップＳ１１１でＮｏ）。
【００６３】
続いて無線通信部１１３０は、被充電側通信装置１０２０から接続要求メッセージを受信し（ステップＳ１１１でＹｅｓ）、被充電側通信装置１０２０からの接続要求を許可する場合には（ステップＳ１１２でＹｅｓ）、被充電側通信装置１０２０へ接続許可メッセージを送信する（ステップＳ１１３）。そして無線通信部１１３０は、被充電側通信装置１０２０との間で近距離無線通信の接続を確立する（ステップＳ１１４）。
【００６４】
続いて制御部１１５０は、コンテンツデータの転送に関連するアプリケーションを起動する。そして、このアプリケーションからの指示を受け、無線通信部１１３０は、被充電側通信装置１０２０から近距離無線通信で送信されるコンテンツデータを受信する（ステップＳ１１５）。同様にこのアプリケーションからの指示を受け、制御部１１５０は、受信されたコンテンツデータをコンテンツデータ記憶部１４０に格納させる。
【００６５】
なお無線通信部１１３０は、被充電側通信装置１０２０からの接続要求を拒否する場合には（ステップＳ１１２でＮｏ）、ステップＳ１１３〜ステップＳ１１５の処理は行わずに、接続拒否データを被充電側通信装置１０２０へ送信する（ステップＳ１１６）。
【００６６】
図１０は、本実施の形態にかかる被充電側通信装置１０２０の動作の一例を示すフローチャートである。
【００６７】
まず、被充電側通信装置１０２０を充電側通信装置１０１０に近接させるため、被充電側通信装置１０２０を充電側通信装置１０１０に近づけると、電力受給部２１０は、充電側通信装置１０１０から供給される電力の受給を開始する（ステップＳ１２０）。
【００６８】
続いて充電制御部１２２０は、電力受給部２１０により電力の受給が開始されたことを検知し、制御部１２５０に通知する（ステップＳ１２１）。
【００６９】
続いて無線通信部１２３０は、制御部１２５０からの指示を受け、充電側通信装置１０１０に接続要求メッセージを送信する（ステップＳ１２２）。そして無線通信部１２３０は、充電側通信装置１０１０から接続要求メッセージに対する応答として接続許可メッセージを受信した場合に（ステップＳ１２３でＹｅｓ）、充電側通信装置１０１０との間で近距離無線通信の接続を確立する（ステップＳ１２４）。
【００７０】
続いて制御部１２５０は、コンテンツデータの転送に関連するアプリケーションを起動する。そして、このアプリケーションからの指示を受け、制御部１２５０は、充電側通信装置１０１０に送信するコンテンツデータをコンテンツデータ記憶部２４０から読み出す。同様にこのアプリケーションからの指示を受け、無線通信部１２３０は、読み出されたコンテンツデータを充電側通信装置１０１０に近距離無線通信で送信する（ステップＳ１２５）。
【００７１】
なお無線通信部１２３０は、充電側通信装置１０１０に接続要求メッセージを送信してから一定時間待っても応答がない場合には（ステップＳ１２３でＮｏ）、充電側通信装置１０１０に接続要求メッセージを再送する（ステップＳ１２６でＹｅｓ）。但し無線通信部１２３０は、充電側通信装置１０１０から接続要求メッセージに対する応答として接続拒否メッセージを受信した場合や、接続要求メッセージを所定回再送した場合には、ステップＳ１２４〜ステップＳ１２５の処理は行わずに、近距離無線通信の接続を中止する（ステップＳ１２６でＮｏ）。
【００７２】
このように、充電側通信装置をイニシエータとし、被充電側通信装置をレスポンダとした場合だけでなく、充電側通信装置をレスポンダとし、被充電側通信装置をイニシエータとした場合にも、第１の実施の形態と同様の効果を奏することができる。従って、通信システムに合わせて、イニシエータ・レスポンダを設定することができる。
【００７３】
（変形例）
なお、本発明は上述した各実施の形態に限定されるものではなく、以下に例示するような種々の変形が可能である。
【００７４】
上述した実施の形態においては、被充電側通信装置として、バッテリーを備える携帯電話を例にとり説明したが、本発明はこれに限定されるものではない。図１１に示すように、バッテリーを備えていないハードディスク、ＵＳＢメモリ等の補助記憶装置を被充電側通信装置とすることもできる。
【００７５】
図１１は、変形例の実施の形態にかかる通信システム２００１の一例を示す概略図である。図１１に示すように、通信システム２００１は、クレードル装置２０１１および本体装置２０１２を備える充電側通信装置２０１０と、被充電側通信装置２０２０とを備える。
【００７６】
被充電側通信装置２０２０は、電力受給機能および近距離無線通信機能を有しており、例えばバッテリーを備えていないハードディスク、ＵＳＢメモリ等の補助記憶装置などにより実現できる。
【００７７】
また上述した実施の形態においては、被充電側通信装置から充電側通信装置にコンテンツデータを転送することを例にとり説明したが、本発明はこれに限定されるものではない。充電側通信装置から被充電側通信装置にコンテンツデータを転送するようにしてもよい。
【００７８】
また上述した実施の形態においては、充電側通信装置としてＰＣ、被充電側通信装置として携帯電話を例にとり説明したが、本発明はこれに限定されるものではない。例えば、充電側通信装置にテレビ受信装置や複写装置を適用し、被充電側通信装置にデジタルカメラやビデオカメラを適用するようにしてもよい。また例えば、充電側通信装置および被充電側通信装置の双方に携帯電話やデジタルカメラを適用するようにしてもよい。
【図面の簡単な説明】
【００７９】
【図１】第１の実施の形態にかかる通信システム１の一例を示す概略図である。
【図２】第１の実施の形態にかかる充電側通信装置１０の構成の一例を示すブロック図である。
【図３】第１の実施の形態にかかる被充電側通信装置２０の構成の一例を示すブロック図である。
【図４】第１の実施の形態にかかる充電側通信装置１０の動作の一例を示すフローチャートである。
【図５】第１の実施の形態にかかる被充電側通信装置２０の動作の一例を示すフローチャートである。
【図６】第２の実施の形態にかかる通信システム１００１の一例を示す概略図である。
【図７】第２の実施の形態にかかる充電側通信装置１０１０の構成の一例を示すブロック図である。
【図８】第２の実施の形態にかかる被充電側通信装置１０２０の構成の一例を示すブロック図である。
【図９】第２の実施の形態にかかる充電側通信装置１０１０の動作の一例を示すフローチャートである。
【図１０】第２の実施の形態にかかる被充電側通信装置１０２０の動作の一例を示すフローチャートである。
【図１１】変形例の実施の形態にかかる通信システム２００１の一例を示す概略図である。
【符号の説明】
【００８０】
１、１００１、２００１  通信システム
１０、１０１０、２０１０  充電側通信装置
１１、１０１１、２０１１  クレードル装置
１２、１０１２、２０１２  本体装置
２０、１０２０、２０２０  被充電側通信装置
１１０  電力供給部
１２０、１１２０  充電制御部
１３０、１１３０  無線通信部
１４０  コンテンツデータ記憶部
１５０、１１５０  制御部
１６０  メモリ
２１０  電力受給部
２２０、１２２０  充電制御部
２３０、１２３０  無線通信部
２４０  コンテンツデータ記憶部
２５０、１２５０  制御部
２６０  メモリ
【図１】
2010041181.tif 000003
【図２】
2010041181.tif 000004
【図３】
2010041181.tif 000005
【図４】
2010041181.tif 000006
【図５】
2010041181.tif 000007
【図６】
2010041181.tif 000008
【図７】
2010041181.tif 000009
【図８】
2010041181.tif 000010
【図９】
2010041181.tif 000011
【図１０】
2010041181.tif 000012
【図１１】
2010041181.tif 000013